(57)【特許請求の範囲】
【請求項１】
異常を検出して警報する警報器と、
利用者の手の届く位置に着脱自在に設置され、設置場所から取り外された場合に懐中電灯として使用可能な照明装置と、
前記照明装置の照明制御が操作されるリモコン装置と、
を含んでなる非常時照明システムであって、
前記警報器は、
設置エリアの物理現象の変化を検出するセンサ部と、
前記センサ部による異常及び異常復旧を含むイベントを検出するイベント検出部と、
前記イベント検出部で、前記異常を検出した場合に異常を示すイベント信号を送信し、前記異常復旧を検出した場合に異常復旧を示すイベント信号を送信する送信処理部と、
を備え、
前記照明装置は、
所定エリアを照明する照明部と、
異常警報を含む音声情報を報知すると共に、警報表示を含む表示が可能な報知部と、
異常を示すイベント信号を含む各種イベント信号を受信する受信処理部と、
前記照明部の点灯を指示する操作部と、
前記操作部による点灯指示及び外部からのイベント信号受信を含むイベントを検出するイベント検出部と、
前記照明装置のイベント検出部による検出内容に応じて前記照明部を制御する照明制御部と、
前記照明部を含む各部に電源を供給する電池電源と、
を備え、
前記リモコン装置は、
前記照明部の点灯及び消灯が操作される操作部と、
前記リモコン装置の操作部による点灯操作及び消灯操作を含むイベントを検出するイベント検出部と、
前記リモコン装置のイベント検出部で、前記点灯操作を検出した場合に点灯イベント信号を送信し、前記消灯操作を検出した場合に消灯イベント信号を送信する送信処理部と、
を備え、
前記照明制御部は、前記照明部が消灯しているときに、
前記照明装置のイベント検出部で前記点灯指示を検出した場合は、前記照明部を所定時間点灯した後に消灯し、
前記照明装置のイベント検出部で前記異常を示すイベント信号受信を検出した場合は、前記照明部を点灯すると共に前記報知部で警報表示を開始させ、その後、前記異常復旧を示すイベント信号受信を検出した場合に、前記照明部を消灯すると共に前記警報表示を終了させ、
前記照明装置のイベント検出部で前記点灯イベント信号受信を検出した場合は、前記照明部を点灯すると共に前記報知部で前記警報表示と異なる様態の非警報表示を開始させ、その後、前記消灯イベント信号受信を検出した場合に、前記照明部を消灯すると共に前記非警報表示を終了させることを特徴とする非常時照明システム。
【請求項２】
請求項１記載の非常時照明システムに於いて、
前記照明制御部は、前記照明部が消灯しているときに前記照明装置のイベント検出部で異常を示すイベント信号受信を検出した場合は、前記照明部を点灯すると共に前記報知部から異常警報を出力させ、その後、異常復旧を示すイベント信号受信を検出した場合に、前記照明部を消灯すると共に前記異常警報を停止することを特徴とする非常時照明システム。
【請求項３】
請求項１記載の非常時照明システムに於いて、
前記照明装置は、各種イベント信号を送信する送信処理部を備え、
前記照明制御部は、前記照明装置のイベント検出部で前記点灯イベント信号を含む各種イベント信号受信を検出した場合に、当該イベント信号を前記照明装置の送信処理部から中継送信させることを特徴とする非常時照明システム。
【請求項４】
請求項１記載の非常時照明システムに於いて、
前記照明装置の操作部は、前記照明部の消灯を指示し、
前記照明装置のイベント検出部は、前記照明装置の操作部による消灯指示を検出し、
前記照明制御部は、前記照明装置のイベント検出部で前記点灯指示を検出して前記照明部が点灯しているときに前記消灯指示を検出した場合は、前記照明部を消灯することを特徴とする非常時照明システム。
【発明の詳細な説明】
【技術分野】
【０００１】
本発明は、警報器やリモコンからの信号により照明を点灯する連動型の非常時照明システムに関する。
【背景技術】
【０００２】
従来、住宅における火災やガス漏れなどの異常（異状）を検出して警報する警報器が普及している。このうち、住宅用災警報器を住警器と言う。
【０００３】
このような住警器にあっては、センサ部と警報部を一体に備え、センサ部で火災を検出すると警報部から音声メッセージなどにより火災警報を出すようにしており、専用の受信設備等を必要とせず単体で火災監視と警報ができることから、設置が簡単でコスト的にも安価であり、一般住宅での設置義務化に伴い広く普及している。
【０００４】
また、複数の住警器間で通信を行うことによって、任意の住警器で火災警報が行われると、他の住警器でも連動して警報を行う、連動型の住警器システムも提案されている。
【０００５】
このような住警器システムでは、住警器で火災を検出した場合には、火災を検出した連動元の住警器は、例えば「ウーウー火災警報器が作動しました 確認してください」との音声メッセージを出力するようにしている。
【０００６】
一方、連動先となる他の住警器では例えば「ウーウー別の火災警報器が作動しました」との音声メッセージを出力する。このような連動型の住警器を用いた警報システムによれば、例えば火災発生場所に設置されている警報器の警報音が聞き取りにくい場所でも、連動警報により火災の発生をいち早く確実に知ることができる。
【０００７】
また、住警器が火災を検出した場合に接点開閉信号等の移報信号を有線出力して他の装置、例えば照明装置を駆動する技術が知られており、さらに、連動型の住警器に照明機能を設け、火災警報に連動して照明するものも考案されている。
【先行技術文献】
【特許文献】
【０００８】
【特許文献１】特開２００７−０９４７１９号公報
【特許文献２】実用新案登録第３１５４５７９号公報
【特許文献３】特開２００９−２４４９３７号公報
【特許文献４】特開２００６−３９８１８号公報
【特許文献５】実用新案登録第３１４７８７４号公報
【特許文献６】特開２００５−２３４８８０号公報
【特許文献７】特開２００８−２３６３７５号公報
【特許文献８】特開２００８−５８４５４号公報
【発明の概要】
【発明が解決しようとする課題】
【０００９】
しかしながら、このような従来の連動型の警報システムおいて火災を検出して火災警報が出力された場合、火災発生場所に出向いて確認し、初期消火をしたり、避難することになるが、例えば夜間の就寝中に火災が起きたような場合には、懐中電灯を捜したり室内照明を点灯しようとしても緊急事態のために慌てており、また室内が暗いため懐中電灯の保管場所やスイッチのある場所がわからなくなる場合もあり、初期消火や避難に手間取ることがあり、迅速な行動がとれない恐れがある。
【００１０】
また、利用者が聴覚にハンディキャップを持つ場合、住警器から出力される音声メッセージ等の警報音を聞き取ることが困難である場合があるが、住警器の警報に伴う表示（警報表示）も充分な明るさではないため、異常の発生や発生場所が判りにくいという問題もあった。
【００１１】
また一方、連動型の住警器による警報システムは、連動元での火災発生を連動先となる住警器の設置場所近辺でも確実に知ることができるので安全性が高いが、連動型の住警器は単体動作（スタンドアローン）型の住警器に比べて高価であり、多数設置することができにくいという問題があった。
【００１２】
また例えば、火災発生時の暗所照明のためや避難誘導のためにこれらを設置する際、センサ部を必要としない場合があり、このために住警器を増設して照明装置を移報線接続したり、本来必要のないセンサ部を備える連動型の照明付き住警器を設置することは高価でもあり、さらに例えば玄関外や脱衣所等にも設置したい場合等には、湿気や粉塵等によりセンサ部の故障や誤報、非火災報が心配されるなどの問題があった。
【００１３】
更に非常時に点灯する照明装置は、設置エリアを照明するものであるが、避難経路には照明されないエリアが存在する場合もあり、このような場合には予め懐中電灯準備しておき、火災発生時の避難誘導に利用できるようにしているが、懐中電灯を常時使用可能に保つための維持管理が煩雑であり、いざという場合に電池切れで使用できないことも想定される。
【００１４】
本発明は、火災等の異常を検出して警報する警報器と連動して自動的に作動して、充分な明るさで非常照明を可能にすると共に懐中電灯としての使用を可能とする非常時照明システムを提供することを目的とする。
【課題を解決するための手段】
【００１５】
本発明は、
異常を検出して警報する警報器と、
利用者の手の届く位置に着脱自在に設置され、設置場所から取り外された場合に懐中電灯として使用可能な照明装置と、
照明装置の照明制御が操作されるリモコン装置と、
を含んでなる非常時照明システムであって、
警報器は、
設置エリアの物理現象の変化を検出するセンサ部と、
センサ部による異常及び異常復旧を含むイベントを検出するイベント検出部と、
イベント検出部で、前記異常を検出した場合に異常を示すイベント信号を送信し、異常復旧を検出した場合に異常復旧を示すイベント信号を送信する送信処理部と、
を備え、
照明装置は、
所定エリアを照明する照明部と、
異常警報を含む音声情報を報知すると共に、警報表示を含む表示が可能な報知部と、
異常を示すイベント信号を含む各種イベント信号を受信する受信処理部と、
各種イベント信号を送信する送信処理部と、
照明部の点灯を指示する操作部と、
操作部による点灯指示及び外部からの各種イベント信号受信を含むイベントを検出するイベント検出部と、
照明装置のイベント検出部による検出内容に応じて照明部を制御する照明制御部と、
前記照明部を含む各部に電源を供給する電池電源と、
を備え、
リモコン装置は、
照明部の点灯及び消灯が操作される操作部と、
リモコン装置の操作部による点灯操作及び消灯操作を含むイベントを検出するイベント検出部と、
リモコン装置のイベント検出部で、点灯操作を検出した場合に点灯イベント信号を送信し、消灯操作を検出した場合に消灯イベント信号を送信する送信処理部と、
を備え、
照明制御部は、照明部が消灯しているときに、
照明装置のイベント検出部で点灯指示を検出した場合は、照明部を所定時間点灯した後に消灯し、
照明装置のイベント検出部で異常を示すイベント信号受信を検出した場合は、照明部を点灯すると共に前記報知部で警報表示を開始させ、その後、異常復旧を示すイベント信号受信を検出した場合に、照明部を消灯すると共に警報表示を終了させ、
照明装置のイベント検出部で点灯イベント信号受信を検出した場合は、照明部を点灯すると共に報知部で警報表示と異なる様態の非警報表示を開始させ、その後、消灯イベント信号受信を検出した場合に、照明部を消灯すると共に非警報表示を終了させる。
【００１６】
照明制御部は、照明部が消灯しているときに照明装置のイベント検出部で異常を示すイベント信号受信を検出した場合は、照明部を点灯すると共に報知部から異常警報を出力させ、その後、異常復旧を示すイベント信号受信を検出した場合に、照明部を消灯すると共に異常警報を停止する。
【００１７】
照明装置は、各種イベント信号を送信する送信処理部を備え、
照明制御部は、照明装置のイベント検出部で点灯イベント信号を含む各種イベント信号受信を検出した場合に、当該イベント信号を照明装置の送信処理部から中継送信させる。
【００１８】
照明装置の操作部は、照明部の消灯を指示し、
照明装置のイベント検出部は、照明装置の操作部による消灯指示を検出し、
照明制御部は、照明装置のイベント検出部で点灯指示を検出して照明部が点灯しているときに消灯指示を検出した場合は、前記照明部を消灯する。
【発明の効果】
【００１９】
本発明の非常時照明システム及び照明装置によれば、例えば火災を検出して警報する警報器と照明装置を連動させることにより、警報器で火災を検出して警報すると、照明装置が警報器からの火災を示すイベント信号を受信して照明部を駆動し、火災時に照明装置の設置エリアを自動的に照明し、夜間であっても迅速且つ安全に対処することができる。
【００２０】
また火災発生時の避難時は、設置場所から外して多機能スイッチの第１の操作、例えば短押操作により点灯することで懐中電灯として使用することができ、避難経路に照明されていない暗い場所があっても、照明装置を使用して照らすことで、安全且つ迅速に避難することができる。
【００２１】
また多機能スイッチは押釦操作のみのノンロックスイッチであり、一度、短押操作すると照明部が一定時間のあいだ点灯した後に自動消灯し、不必要に点灯し続けることによる電池消耗による電池切れを防止できる。
【００２２】
また自動消灯する前に所定時間後に消灯することを示す音声メッセージが出され、継続して使用する場合には、懐中電灯スイッチを再度短押操作すれば、更に一定時間点灯させることができ、自動消灯を行っていても事前に消灯を知って継続使用の操作が簡単且つ容易にできる。
【００２３】
また多機能スイッチの第１操作やイベント信号受信による照明部の点灯中に消灯したい場合は、多機能スイッチの第２の操作、例えば長押操作をすれば良く、押分け操作により必要に応じて照明部を簡単に消灯することができる。
【００２４】
また電池電圧低下検出を判定している状態で多機能スイッチを短押操作した場合には、電池切れ予告の音声報知が行われ、スイッチ操作が行われていることから必ず人がいる状態での音声報知となり、確実に電池電圧の低下を利用者に知らせて対応可能とすることができる。
【００２５】
また照明装置の点灯、消灯、点検、警報停止等の各種の機能を、その時の状態に対応した多機能スイッチの簡単な押分操作で区別して異なる機能を実行させることができ、スイッチが１つで済むことから、構成が簡単になり、コストも低減できる。
【００２６】
また連動による照明装置の作動によって、住警器の警報音が聞き取りにくい場合や火災発生場所から離れた場所でも、視覚的に火災の発生をいち早く確実に知ることができるので、迅速且つ安全に対処することができる。また、センサ部を備えないため連動型住警器に比べて比較的安価な連動型照明装置を使用しているので、低コストで連動警報機能を利用することができる。
【００２７】
また特定の照明装置で警報装置からの火災を示すイベント信号を受信して照明を点灯すると、他の照明装置に点灯を示すイベント信号が送信され、照明装置相互間で連動型の照明点灯ができ、警報器からのイベント信号が届かないような場所に照明装置を設置していても連動して点灯できる。
【００２８】
また照明装置はリモコン操作でも点灯することができ、警報器で監視していない例えば夜間の盗難などの非常事態の発生時に遠隔的に照明を点灯して対応できる。
【００２９】
また照明装置を点灯すると同時に火災などの異常警報を出力することで、警報器を設置していない場所であっても火災などの異常発生を報知できる。
【００３０】
また警報器などの他の機器と連動させることなくリモコンによる遠隔操作で点灯するような非常時照明システムを構築することもでき、夜間にリモコン操作により照明機器のスイッチ操作必要とすることなく、簡単に設置場所の照明ができる。
【００３１】
また、本発明の照明装置は信号の中継機能を有しているので、特に無線式通信の場合に、相互に電波の届きにくい場所に設置されている警報器や照明装置との間に設置することで中継器の役割を果たすことができ、信号を確実に伝達することができる。
【００３２】
また、本発明の照明装置はセンサ部を備えていない他は連動型の警報器と同じ機能を有しているので、増設や移設、撤去等を簡単に行うことができる。
【００３３】
また、リモコン装置を操作することで、寝室、階段室、廊下等に設置した照明装置を同時に点灯、消灯させることができるので、例えば夜間の照明として使い勝手を良くすることができる。
【図面の簡単な説明】
【００３４】
【図１】住警器、照明装置及びリモコンで構成される本発明による非常時照明システムを設置した住宅を示した説明図
【図２】本発明による無線式の照明装置の外観を示した説明図
【図３】本発明による無線式の住警器の外観を示した説明図
【図４】図２の非常時照明システムに設けた照明装置の実施形態を示したブロック図
【図５】図４の照明装置に設けた多機能スイッチと照明停止スイッチの操作機能を一覧で示した説明図
【図６】図１の非常時照明システムに設けたリモコンの実施形態を示したブロック図
【図７】図１の非常時照明システムに設けた住警器の実施形態を示したブロック図
【図８】本実施形態で使用するイベント信号のフォーマットを示した説明図
【図９】図４の照明装置による照明制御を示したフローチャート
【図１０】図９に続く照明装置による照明制御を示したフローチャート
【図１１】図７の住警器による監視処理を示したフローチャート
【図１２】図１１に続く住警器の監視処理を示したフローチャート
【図１３】本発明による無線式の照明装置の他の実施形態を示したブロック図
【発明を実施するための形態】
【００３５】
図１は住宅に対する本発明による非常時照明システムの機器設置例を示した説明図である。図１の例にあっては、住宅２５で例えば居間、台所、子供部屋、寝室、階段室のそれぞれに火災を検出して警報する無線式の住警器（住宅用火災警報器）１００が設置されている。
【００３６】
また例えば廊下には非常時に点灯して設置場所を照明する無線式の照明装置１０が設置されている。更に寝室及び階段室には住警器１００に加えて照明装置１０が設置されている。照明装置１０は壁面などの手の届く位置に設置されており、非常時には取り外すことにより携帯型の照明装置、所謂懐中電灯として使用することができる。
【００３７】
寝室に設置された照明装置１０に対して照明制御を指示操作するリモコン装置１１があるが、リモコン装置１１は持ち運んで適宜場所で使用でき、複数台とすることができる。
【００３８】
まず、図１の設置例の基本的な意図を説明する。図１の各住警器１００は相互に連動し、また照明装置１０は相互に連動すると共に、各住警器１００からのイベント信号を受けて連動する。
【００３９】
図１の例に示す設置によれば、居間、台所、子供部屋、寝室、階段室の火災を監視するとともに、寝室には照明装置１０を設けることで、他の場所の住警器１００が作動（火災検出）した場合に寝室の住警器１００が連動警報するうえ、照明装置１０でも連動照明が行われ、迅速な対応が可能になる。また照明装置１０の連動照明によって、火災発生の報知効果が向上する。
【００４０】
そして、階段室及び廊下に設置した照明装置１０でも自動的に照明が行われるので、例えば夜間でも慌てず安全に行動することができる。しかも、廊下には住警器１００が設置されていないにも関わらず、火災発生時には住警器１００の火災警報に連動して照明装置１０から音声メッセージで火災が報知されるので、例えば台所で火災が発生した場合に、廊下に居ても確実に火災発生を知ることができる。また、リモコン装置１１を操作することで、同様に寝室、階段室、廊下の照明装置を同時に点灯、消灯させることができるので、例えば夜間の照明として使い勝手が良い。
【００４１】
更に、火災発生時に避難する場合、避難経路となる階段室や廊下は照明装置１０の連動点灯により照明されているが、避難先となる屋外は暗くて見えない場合があり、そのような場合には既に点灯している手近な照明装置１０を取り外して携帯することで、懐中電灯として使用することができ、安全に屋外に避難することができる。
【００４２】
また照明装置１０の設置場所によっては住警器１００からの電波が届かずに自動点灯しない場合もあるが、そのような場合であっても、手近に設置している照明装置を取り外して懐中電灯スイッチを点灯操作することで懐中電灯として携帯使用ができ、暗所であっても安全且つ迅速に非難することができる。
【００４３】
次に、順次詳細を説明する。照明装置１０は、イベント信号を無線により相互に送受信する機能を備え、リモコン１１の操作により送信される、また他の照明装置から送信される点灯を示すイベント信号（以下、点灯イベント信号）または住警器１００からの火災を示すイベント信号（以下、火災イベント信号）を受信して照明を駆動すると共に、必要に応じ受信した点灯イベント信号や火災イベント信号を他の住警器１００や他の照明装置１０へ中継送信する。
【００４４】
また照明装置１０は、住警器１００からの火災イベント信号を受信した場合、照明を駆動する一方、音響出力による警報を行う。
【００４５】
照明装置１０の警報動作としては、例えば「ウーウー  火災警報器が作動しました  確認してください」といった音声メッセージによる警報音を出力する。ここで、照明装置１０の照明は警報に伴う表示（警報表示という）として、例えば、火災時以外の動作と異なる動作としても良い。即ち、点灯イベント信号の受信による照明動作は点灯とし、火災イベント信号受信による照明動作は点滅としたり、その逆としたりすることができる。
【００４６】
ここで、点灯イベント信号を受けて駆動する照明動作は、点灯、点滅、明滅の何れであっても良い。以下では、区別する場合を除いて、これらを総称して点灯という。
【００４７】
照明装置１０で点灯した照明は、住警器１００からの警報停止又は火災復旧を示すイベント信号（以下、復旧イベント信号）受信、リモコン１１や他の照明装置１０からの消灯を示すイベント信号（以下、消灯イベント信号）、自己の停止スイッチの操作で消灯し、同時に警報を停止する。
【００４８】
ここでは、従来の連動型住警器システムにそのまま追加できる連動型照明装置について説明する。即ち照明装置１０はリモコン１１、他の照明装置１０、住警器１００からの各イベント信号を受信して、受信したイベント信号に応じて自己の照明制御、音響出力を行い、受信した各イベント信号を必要に応じて外部へ中継送信する。一方、リモコン装置１１や他の照明装置１０からの照明制御に関するイベント信号（点灯、消灯）は住警器側では処理されない。
【００４９】
照明装置１０はリモコン１１や住警器１００からの信号を受信して処理するのみでも住警器１００に連動して火災警報および火災警報の停止を行うことができるため、必ずしも送信機能を備えなくても良いが、送信機能を備えることで必要に応じ各イベント信号を中継送信することができる。ここでは受信機能に加え送信機能も備える例について説明する。
【００５０】
なお、照明装置の障害およびその復旧については住警器でも連動警報を出力させることができるが、本実施例では照明装置の障害については住警器での連動警報を行わないこととする。即ち、住警器での火災警報や障害警報およびこれらの停止、復旧についてのみ、照明装置で連動動作させる例とする。
【００５１】
また照明装置１０にはノンロックタイプの多機能スイッチが設けられている。多機能スイッチは押分けによる第１の操作と第２の操作により、照明部の点灯、照明部の消灯、警報の停止、点検の実行などの機能を指示することができる。
【００５２】
このうち懐中電灯として機能させるための照明部の操作については、通常状態で多機能スイッチの第１の操作となる例えば短押操作を検出した場合は照明部を所定時間点灯した後に自動的に消灯する。この所定時間後の自動消灯に先立ち、消灯までの残り時間を示す例えば「あと３０秒で消灯します」といった消灯予告の音声メッセージを出力させる。消灯予告の音声メッセージに対し点灯を継続したい場合は多機能スイッチの第１の操作となる短押操作を再度行えば、自動消灯が解除されて更に所定時間点灯させることができる。
【００５３】
また多機能スイッチの短押操作による照明部の点灯中に、多機能スイッチの第２の操作である例えば長押操作を検出した場合は、所定時間後の自動消灯を待たずに照明部を消灯させることができる。
【００５４】
多機能スイッチの長押操作による照明部の消灯は、後の説明で明らかにするように、住警器１００やリモコン１１からのイベント信号受信による点灯中についても、同様に消灯させることができる。
【００５５】
また照明装置１０は、電池電源の電圧を検出して電圧低下を判定していた場合（電池電圧低下フラグのセット中）、多機能スイッチの短押操作による照明部の点灯と共に、電圧低下検出の事実と電池交換を促す例えば「ピッピッピッ  電池切れです  電池を交換してください」といった音声メッセージを出力させる。
【００５６】
これは多機能スイッチの操作を検出した場合は、必ず人がいる状態であり、この状態で電池電圧低下判定結果を報知することで、電池切れ予告を確実に利用者に伝えることができる。
【００５７】
また照明装置１０は通常状態で多機能スイッチの第２の操作である長押操作を検出した場合には、所定の内部点検を実行して報知部３６から点検結果を出力させる。点検結果は施錠であれば「正常です」といった音声メッセージを出力させ、障害であれば「ピッ  故障です」といった音声メッセージを出力させる。
【００５８】
住警器１００は、イベント信号を無線により相互に送受信する機能を備え、住宅の各所で火災監視を行っている。いま住宅２４の台所で万一、火災が発生したとすると、火災発生場所の住警器１００が火災を検出して警報を開始する。この火災を検出して警報を開始することを、住警器における「発報」という。住警器１００が発報するとき、その住警器は連動元として機能し、連動先となる他の住警器１００に対し、火災発生を示すイベント信号を無線により送信する。連動先となる他の住警器１００は、連動元の住警器１００からの火災発生を示すイベント信号を受信した場合に、警報音と警報表示により連動先としての警報動作を行う。
【００５９】
住警器１００が検出する自己のイベント（警報器イベントという）としては、上述の火災発生だけでなく、火災復旧、警報停止操作等があり、また他の住警器からの各種イベント信号受信も含まれる。これらについては後述する。
【００６０】
連動元となった住警器１００の警報動作としては、例えば「ウーウー  火災警報器が作動しました  確認してください」といった音声メッセージによる警報音を出力する。一方、連動先の住警器１００にあっては、警報動作として「ウーウー  別の火災警報器が作動しました  確認してください」といった音声メッセージによる警報音を出力する。
【００６１】
また連動元となった住警器１００の警報に伴う表示（警報表示という）としては、例えばＬＥＤ２２（後述）を点灯させる。一方、連動先の住警器１００にあっては、ＬＥＤを点滅させる。これによって、連動元警報と連動先警報におけるＬＥＤによる警報表示を区別できるようにしている。
【００６２】
なお、連動元のＬＥＤを点滅とし、連動先のＬＥＤを点灯としても良いし、連動元警報と連動先警報のいずれについても、同じＬＥＤの明滅または点滅、点灯表示であっても良い。また例えば赤色ＬＥＤと黄色ＬＥＤを設け、連動元は赤色ＬＥＤを駆動し、連動先は黄色ＬＥＤを駆動するといった２色表示としても良い。もちろん、２つのＬＥＤを一体として、赤色と黄色の両方を発光可能な２色ＬＥＤが採用できる。
【００６３】
住警器１００が警報音を出力している状態で、警報停止スイッチ（後述）を操作すると、警報音及び警報表示の停止処理が行われる。
【００６４】
このとき例えば、連動元である住警器で警報停止操作が行われた場合には、全ての住警器の警報（警報音出力および／または警報表示出力）を停止し、連動先である住警器の何れかで警報停止操作が行われた場合には、連動元の住警器の警報動作は停止せず、連動先の住警器の警報動作を停止するようにする。
【００６５】
図２は本発明による無線式の連動型照明装置の外観を示した説明図であり、図２（Ａ）に正面図を、図２（Ｂ）に側面図を示している。
【００６６】
図２において、本実施形態の照明装置１０の筐体はカバー１２と本体１４で構成されている。カバー１２の中央には、ＬＥＤ照明部１６が設けられ、ドーム型の透明又は半透明状カバーの内部に例えば５個の白色のＬＥＤ１８を配置している。もちろん、ＬＥＤ１８は白色以外の色であっても良い。この点灯により、照明装置１０の設置場所近傍の所定エリアを照明することができる。
【００６７】
ＬＥＤ照明部１６の左下側にはスリット状の音響孔１９が複数設けられ、この背後にブザーやスピーカを内蔵し、警報音や音声メッセージを出力できるようにしている。ＬＥＤ照明部１６の下側には警報停止を兼ねた多機能スイッチ２０が設けられている。
【００６８】
多機能スイッチ２０は、半透明部材で形成されたスイッチカバーと、スイッチカバーの内部に配置されたノンロックタイプのタクトスイッチ（図示せず）とで構成されている。スイッチカバー内部のタクトスイッチ近傍には、点線で示すように警報表示を行うＬＥＤ２２が配置されており、ＬＥＤ２２が点灯、点滅、明滅作動すると、作動光が多機能スイッチ２０のスイッチカバーの部分を透過してＬＥＤ２２の作動状態が外部から分かるようにしている。ＬＥＤ２２は例えば赤色とする。またＬＥＤ２２は省略することができる。
【００６９】
また本体１４の裏側上部には略中央部に挿通孔を有する取付フック１５が設けられており、設置する部屋の壁にビスなどをねじ込み、この取付フック１５の挿通孔にビスを通して引っかけることで、壁面に照明装置１０を所謂壁掛け状に固定設置することができ、また照明装置１０を懐中電灯として使用する際には簡単に取り外すことができる。
【００７０】
図３は本発明による無線式の住警器の外観を示した説明図であり、図３（Ａ）に正面図を、図３（Ｂ）に側面図を示している。
【００７１】
図３において、本実施形態の住警器１００の筐体はカバー１１２と本体１１４で構成されている。カバー１１２の中央に突出部を設け、その周囲に複数の煙流入口を開口し、更にその内部には検煙部１１６が配置され、火災による煙が所定濃度に達したときに火災を検出するようにしている。
【００７２】
カバー１１２に設けた複数の開口部の内部には検煙部１１６を備え、検煙部１１６の左下側には音響孔１１８が設けられ、この背後にブザーやスピーカを内蔵し、警報音や音声メッセージを出力できるようにしている。検煙部１１６の下側には警報停止スイッチ１２０が設けられている。
【００７３】
警報停止スイッチ１２０は住警器１００の機能点検を指示する点検スイッチとしての機能を兼ねている。たとえば、火災警報時に警報停止スイッチ１２０が操作されると警報を停止し、通常状態で警報停止スイッチ１２０が操作されると機能点検を実施して結果を報知する。
【００７４】
警報停止スイッチ１２０は、半透明部材で形成されたスイッチカバーと、スイッチカバーの内部に配置されたタクトスイッチ（図示せず）とで構成されている。即ち、スイッチカバーを押圧操作すると、タクトスイッチが押圧されるようになっている。スイッチカバー内部のタクトスイッチ近傍には、点線で示すように警報表示を行うＬＥＤ１２２が配置されており、ＬＥＤ１２２が点灯、点滅、明滅作動すると、作動光が警報停止スイッチ１２０のスイッチカバーの部分を透過してＬＥＤ１２２の作動状態が外部から分かるようにしている。
【００７５】
また本体１１４の裏側上部には略中央部に挿通孔を有する取付フック１１５が設けられており、設置する部屋の壁にビスなどをねじ込み、この取付フック１１５の挿通孔にビスを通して引っかけることで、壁面に住警器１００を所謂壁掛け状に固定設置することができる。
【００７６】
なお図３の住警器１００にあっては、検煙部１１６を備え、火災による煙を検出する住警器を例に取っているが、これ以外に火災による熱を検出するサーミスタ等の温度検出素子を備えた住警器や火災に伴うその他の物理現象を検出する住警器、火災以外にガス漏れを検出する警報器、侵入者や地震その他の異常（異状）を検出する各種の警報器、これらを組み合わせて成る警報器についても、本発明の対象に含まれる。そして、本発明の警報システム連携型照明システム（以下、非常時照明システム）の警報器は、これら各種の警報器を混在させても良い。
【００７７】
図４は図１の非常時照明システムに設けた照明装置の実施形態を示したブロック図である。これは一例であり、各機能の分離、統合は任意に行うことができる、また機能の実行は、ソフトウェア（プログラム）によって実行されるものであってもハードウェアによって実行されるものであっても良い。
【００７８】
照明装置１０はワンチップＣＰＵとして知られたプロセッサ２８を備え、プロセッサ２８に対してはアンテナ３１を備えた無線通信部３０、記録回路部（メモリ）３２、報知部３６、操作部３８及び電池電源４０を設けている。
【００７９】
無線通信部３０には送信回路４２と受信回路４４が設けられ、他の照明装置及び住警器１００との間でイベント信号を無線により送受信できるようにしている。また後述するリモコン１１からのイベント信号を、少なくとも受信できるようにしている。
【００８０】
無線通信部３０としては、日本国内の場合には、例えば４００ＭＨｚ帯の特定小電力無線局の標準規格として知られたＳＴＤ−３０（小電力セキュリティシステム無線局の無線設備標準規格）またはＳＴＤ−Ｔ６７（特定小電力無線局テレメータ用、テレコントロール用及びデータ伝送用無線設備の標準規格）に準拠した構成を備える。
【００８１】
もちろん無線通信部３０としては、日本国内以外の場所に向けたものでは、その地域の割当無線局の標準規格に準拠した内容を持つことになる。
【００８２】
記憶部としてのメモリ３２には、イベント信号の順番を示す連続番号である連番４８、各照明装置および住警器を特定するＩＤ（自己の識別子）となる送信元符号５０、図１のように住宅に設置した照明装置１０と住警器１００で連動警報を行う連動グループを構成するためのグループ符号５２が格納されている。
【００８３】
連番４８は警報器間の、特に無線通信に於いてイベント信号の処理順等を管理するためのものであるが、本発明に直接関係しないので詳細な説明を省略する。
【００８４】
送信元符号５０としては、国内に提供される何れの照明装置及び住警器とも同一符号として重複しないように、例えば２６ビットの符号コードとし、照明装置又は住警器のシリアル番号等を利用している。
【００８５】
連番４８や送信元符号５０を利用して再中継を許可したり禁止したりすることができ、不要な通信を避ける処理を行うことで、必要に応じた中継を行うことができる。また例えば、連動先端末で中継送信されるイベント信号には、当該連動先端末の送信元符号に加えて連動元端末の送信元符号を付加するようにして、この連動元端末送信元符号から再送信の可否を判定して処理するようにすることもできる。また、中継送信の許可および禁止はこれに加え、イベント信号が示すイベントの内容毎に設定することもできる。
【００８６】
なお、照明装置が受信機能だけを有し、中継送信を行わない運用を想定する場合には、中継機能の全停止を設定する設定部を設けても良い。
【００８７】
グループ符号５２は連動グループを構成する複数の照明装置及び住警器に共通に設定される符号であり、無線通信部３０で受信した他の照明装置１０又は住警器１００、後述するリモコン１１からのイベント信号に含まれるグループ符号がメモリ３２に登録しているグループ符号５２に一致したときに、このイベント信号を有効な信号として処理することになるので、近隣の住宅等に設置された、連動を要しない他のグループに属する警報器との不要な連動を回避できる。
【００８８】
グループ符号５２は各住警器について必ずしも同一の符号である必要は無く、これを元に演算等を行うことによって自己が属するグループと他の住警器が属するグループが同じか否かを判定できるものであれば良い。
【００８９】
報知部３６には警報音等を出力するスピーカ５６と警報表示等を行うＬＥＤ２２が設けられている。スピーカ５６は、図示しない音声合成回路部から、自己が保持している各種の音声メッセージや警報音等を、図示しない増幅部を介して出力する。ＬＥＤ２２は点滅や明滅、点灯などにより、火災などの異常その他を表示する。スピーカ５６に代えて、ブザー等を用いても良い。またＬＥＤ２２に代え、２色ＬＥＤや液晶表示器等を設けても良い。もちろん、ＬＥＤと液晶表示器を併設するなどしても良い。また先述したように、ＬＥＤ２２を省略しても良い。
【００９０】
操作部３８には多機能スイッチ２０が設けられている。多機能スイッチ２０は、照明点灯を行っていない通常状態においては、第１の操作となる短押操作により照明点灯スイッチとして機能し、また第２の操作となる長押操作により点検スイッチとして機能する。多機能スイッチ２０が照明点灯スイッチとして機能した場合、ＬＥＤ照明部１６のＬＥＤ１８が所定時間Ｔ１、例えばＴ１＝３分間点灯した後に自動消灯する。また多機能スイッチ２０が点検スイッチとして機能した場合、後述する点検制御部６８による内部点検が実行されて点検結果が音声報知される。
【００９１】
また多機能スイッチ２０は、照明点灯中においては、第１の操作となる短押操作により照明再点灯スイッチとして機能し、また第２の操作となる長押操作により消灯スイッチとして機能する。多機能スイッチ２０が照明再点灯スイッチとして機能した場合、所定時間Ｔ１が経過しても自動消灯せずに、更に所定時間Ｔ１に亘り照明点灯が継続される。また多機能スイッチ２０が消灯スイッチとして機能した場合、点灯中の照明が消灯される。
【００９２】
更に、多機能スイッチ２０は、住警器１００又はリモコン１１からのイベント信号受信による警報出力中で且つ照明点灯中においては、第１の操作となる短押操作また第２の操作となる長押操作にいずれにいても警報停止スイッチ及び消灯スイッチとして機能する。
【００９３】
図５は図４の照明装置１０に設けた多機能スイッチ２０の操作内容と機能を一覧で示した説明図である。
【００９４】
図５において、多機能スイッチ２０の操作内容は、第１の操作である短押操作と、第２の操作である長押操作に分けられる。また照明装置１０の状態は、照明消灯となる通常状態、照明点灯中、警報と連動点灯の３つに分けられる。
【００９５】
通常状態で多機能スイッチ２０を短押操作すると照明が一定時間Ｔ１点灯して自動消灯し、また多機能スイッチ２０を長押操作すると点検が実行され。
【００９６】
また、多機能スイッチ２０の短押操作による照明点灯中に、多機能スイッチ２０を短押操作するとＴ１時間点灯した後の自動消灯が解除され、再度Ｔ１時間点灯を継続させる点灯リスタートが実行され、また多機能スイッチ２０を長押操作すると自動消灯する前に消灯される。
【００９７】
更に、住警器１００又は他の照明装置１０からのイベント受信に基づく警報出力中で且つ照明点灯中の場合、多機能スイッチ２０の短押操作と長押操作のいずれについても、警報出力を停止すると共に照明が消灯される。
【００９８】
ここで照明装置１０を懐中電灯として使用する場合には、多機能スイッチ２０の短押操作でＬＥＤ照明部１６のＬＥＤ１８を点灯し、途中で消灯したければ多機能スイッチ２０を長押操作すれば良く、更に所定時間Ｔ１を越えて点灯を継続したければ多機能スイッチ２０を点灯中に再度短押操作すれば良い。
【００９９】
再び図４を参照するに、電池電源４０は、例えば所定セル数のリチウム電池やアルカリ乾電池を使用しており、電池容量としては照明点灯のために必要充分に長い動作期間を保証している。電池電源に代えて商用ＡＣ電源や他の専用電源としても良い。
【０１００】
プロセッサ２８にはプログラムの実行により実現される機能として、イベント検出部５８、送信処理部６０、受信処理部６２、照明制御部６４、電池電圧低下検出部６６及び点検制御部６８の機能が設けられている。
【０１０１】
イベント検出部５８は、操作部３８による照明停止指示入力、受信処理部６２を介して得られたリモコン１１、他の照明装置又は住警器１００からのイベント信号の解読結果からイベント内容を検出する。
【０１０２】
送信処理部６０は、イベント検出部５８によりリモコン１１の操作による点灯又は消灯のイベント信号受信を検出した時に、検出した受信イベントの内容を示すイベント信号を、必要に応じ無線通信部３０から連動先の他の照明装置に送信させる（中継送信）。この中継送信は、通信に混乱を生じないよう、予め定められたルールに従って、必要に応じて行われる。受信処理部６２は、リモコン１１及び他の照明装置１０、住警器１００からのイベント信号を、無線通信部３０を介して受信し解読する。
【０１０３】
照明制御部６４は、リモコン１１や他の照明装置１０からの点灯イベント信号受信又は住警器１００からの火災イベント信号又は他の照明装置１０からの火災イベント信号受信を、受信処理部６２を介してイベント検出部５８で検出した場合にＬＥＤ照明部１６に設けている白色のＬＥＤ１８を点灯する。ＬＥＤ照明部１６の点灯は、ＬＥＤ１８を点滅または明滅させても良い。
【０１０４】
また照明制御部６４は住警器１００からの火災イベント信号または他の照明装置１０で中継送信された火災イベント信号の受信に基づいてＬＥＤ照明部１６のＬＥＤ１８を点灯した場合、スピーカ５６から火災を示す警報音を出力すると共に、ＬＥＤ２２を例えば点滅駆動して火災を示す警報表示を行い、更にこのとき、送信処理部６０による制御で火災を示すイベント信号を無線通信部３０の送信回路４２を介してアンテナ３１から他の照明装置１０や住警器１００に送信する（中継送信）。
【０１０５】
この中継送信は、通信に混乱を生じないよう、予め定められたルールに従って、必要に応じて行われる。これにより、火災の際にはＬＥＤ１８の点灯により周辺が照明されると共に、ユーザはＬＥＤ２２の点滅によって、その照明が火災発生に伴って行われていることを判別できる。
【０１０６】
これに対し、リモコン１１や他の照明装置１０からの点灯イベント信号受信に基づいてＬＥＤ１８を点灯する場合は、ＬＥＤ２２は火災時と異なる条件で駆動してユーザが火災時と識別できるようにするか、消灯するようにする。つまり、ＬＥＤ２２の駆動にあたっては、火災イベント信号受信に基づく場合と点灯イベント信号受信に基づく場合とでユーザが識別できるように条件を異ならせる。
【０１０７】
また照明制御部６４は、イベント検出部５８で火災イベント信号受信を検出した場合に、報知部３６のスピーカ５６から火災を示す警報音例えば「ウーウー  火事です  火事です」を繰り返し出力させる。即ち、照明制御部６４は、ＬＥＤ照明部１６のＬＥＤ１８及び報知部３６のＬＥＤ２２の駆動を制御する機能とあわせて、報知部３６のスピーカ５６からの音響出力を制御する機能も備える。
【０１０８】
また照明制御部６４は、イベント検出部５８でリモコン１１や他の照明装置１０からの点灯イベント信号受信を検出した場合に、ＬＥＤ照明部１６を点灯し、点灯イベント信号を他の照明装置１０に送信する（中継送信）。この中継送信は、通信に混乱を生じないよう、予め定められたルールに従って、必要に応じて行われる。
【０１０９】
また照明制御部６４は、ＬＥＤ照明部１６の点灯中に住警器１００又は他の照明装置１０から火災復旧又は警報停止を示すイベント信号（以下それぞれ復旧イベント信号、警報停止イベント信号）受信、リモコン１１からの消灯を示すイベント信号（消灯イベント信号）受信、或いは自己の照明停止スイッチ２０の操作イベントを検出すると、ＬＥＤ照明部１６のＬＥＤ１８を消灯する。このときも、送信処理部６０では必要に応じ他の照明装置１０に対して中継送信制御が行われる。なお、ＬＥＤ照明部１６の消灯は、消灯イベント検出がなくとも、所定時間を経過した場合には消灯し、消費電力を抑えるようにしても良い。
【０１１０】
また照明制御部６４は、通常状態でイベント検出部５８により多機能スイッチ２０の短押操作によるスイッチ信号の入力を検出した場合、ＬＥＤ照明部１６のＬＥＤ１８を所定時間Ｔ１、例えばＴ１＝３分間点灯した後に消灯する。
【０１１１】
また、照明制御部６４は、イベント検出部５８による多機能スイッチ２０の短押操作検出でＬＥＤ照明部１６のＬＥＤ１８を点灯した場合、消灯までの残り時間が所定時間Ｔ２、例えばＴ２＝３０秒となった場合、報知部３６のスピーカ５６から消灯までの残り時間３０秒を示す消灯予告の音声メッセージを出力させる。この消灯予告の音声メッセージを出力した後に、照明制御部６４はイベント検出部５８による多機能スイッチ２０の再度の短押操作を検出した場合、所定時間Ｔ１＝３分を経過しても自動消灯せずにタイマをリセットスタートすることで更にＴ１＝３分間点灯させる。
【０１１２】
また、照明制御部６４は多機能スイッチ２０の短押操作検出によるＬＥＤ照明部１６のＬＥＤ１８を点灯中に、イベント検出部５８で多機能スイッチ２０の長押操作を検出すると、ＬＥＤ照明部１６のＬＥＤ１８を消灯する。
【０１１３】
また、照明制御部６４は、住警器１００又は他の照明装置１０からのイベント信号受信により警報を出力すると共に照明点灯としている状態で、イベント検出部５８で多機能スイッチ２０の短押操作または長押操作を検出すると、警報出力を停止すると共にＬＥＤ照明部１６のＬＥＤ１８を消灯する。
【０１１４】
電池電圧低下検出部６６は、電池電圧低下障害（ローバッテリー障害）を検出して警報する。電池電圧低下検出部６６による電池電圧低下障害の検出は、図示しない電圧検出回路からの信号を、所定の測定時間間隔Ｔ３、例えばＴ３＝４時間間隔で電池電源４０の電源電圧をＡ／Ｄ変換により読み込んで所定の閾値電圧と比較し、この閾値電圧以下の時に電池電圧低下障害と判定し、更に電池電圧低下障害との判定が連続して所定回数続いたときに電池電圧低下障害を確定してメモリ３２に電池電圧低下フラグをセットし、報知部３６のスピーカ５６からの音声メッセージとＬＥＤ２２の表示により電池電圧低下障害警報を出力させる。
【０１１５】
電池電圧低下障害の音声メッセージとしてたとえば「ピッ  電池切れです」を複数回連続出力すると共にＬＥＤ２２を例えば点滅し、その後は、一定時間毎に「ピッ  電池切れです」の音声出力とＬＥＤ２２による表示出力を行う処理を繰り返す。また電池電圧低下検出部６６は、電池電圧低下障害を示すイベント信号（以下、電池電圧低下ベント信号）を他の照明装置に送信して電池電圧低下障害警報を音声メッセージおよび／または表示で行わせるようにしても良い。
【０１１６】
このとき、電池電圧低下障害が発生している照明装置１０（信号送信元）と他の照明装置１０（信号送信先）の照明装置では異なる音声メッセージおよび／または表示内容とする。これによりユーザは電池電圧低下障害が発生している照明装置１０を識別特定して電池交換などの対応を行うことができる。
【０１１７】
また、電池電圧低下検出部６６は、イベント検出部５８で照明を点灯させるための多機能スイッチ２０の短押操作を検出した場合、メモリ３２に電池電圧低下フラグがセットされているか否か判定し、電池電圧低下フラグのセットを判定した場合は、報知部３６のスピーカ５６からの音声メッセージとＬＥＤ２２の表示により電池電圧低下障害警報を出力させる。この時の音声メッセージは例えば「ピッピッピッ  電池切れです  電池を交換してください」を出力する。これにより多機能スイッチ２０の操作検出という人が居る状態で電池電圧低下障害警報を出力して確実に知らせることができる。
【０１１８】
点検制御部６８は、通常状態でイベント検出部５８により多機能スイッチ２０の長押操作を検出した場合、所定の内部点検を実行して報知部３６から点検結果を出力させる。点検制御部６８で点検する内容としては、照明部故障の有無、回路故障の有無、スピーカ５６への出力線の断線、通信異状、その他障害の有無等がある。
【０１１９】
点検制御部６８で実行された内部点検の結果は正常または故障等の障害発生であり、点検結果を報知部３６のスピーカ５６から出力させる。即ち、点検結果が正常な場合は例えば「正常です」といった音声メッセージを出力させ、一方、点検結果が障害発生の場合は例えば「ピッ  故障です」といった音声メッセージを出力させる。これにより多機能スイッチ２０の操作検出という人が居る状態で内部点検を実行して結果を出力することで確実に知らせることができる。
【０１２０】
なお、これらの点検制御処理は、後に説明する住警器１００の場合と同様に行う。ただし、照明装置１０での障害およびその復旧は、住警器１００では連動処理されないこととする。
【０１２１】
また、火災イベント信号受信に基づく報知部３６の、少なくともスピーカ５６による警報動作は、照明装置１０を住警器１００と同じ場所に設置する場合には不要であることから、操作部３８に設けたディップスイッチ（図示省略）により、立上げ時に火災警報動作の禁止モードを設定しておくようにすることもできる。このようにすれば、同じ場所に設置された住警器１００と照明装置１０で火災警報の音声出力が重複することを回避できる。
【０１２２】
図６は図１の非常時照明システムに設けたリモコンの実施形態を示したブロック図である。図６において、リモコン１１はワンチップＣＰＵとして知られたプロセッサ７０を備え、プロセッサ７０に対してはアンテナ８１を備えた無線通信部７２、表示部７４、操作部７６及び電池電源７８を設けている。
【０１２３】
無線通信部７２には送信回路８０が設けられ、照明装置及１０に対しイベント信号を無線により送信できるようにしている。無線通信部７０の送信回路８０は図４の照明装置１０に設けた送信回路４２と同じである。表示部７４にはＬＥＤなどが設けられる。操作部７６には点灯スイッチ８２と消灯スイッチ８４が設けられている。
【０１２４】
プロセッサ７０にはイベント検出部８６、送信処理部８８及びリモコン制御部９０の機能が設けられる。イベント検出部８６は操作部７６の点灯操作又は消灯操作をはじめとするイベントを検出する。送信処理部８８はイベント検出部８６で検出したイベントを示すイベント信号を無線通信部７２の送信回路８０を介してアンテナ８１から無線送信させる。
【０１２５】
即ちイベント検出部８６で点灯操作を検出した場合は無線送信部８８に点灯イベントを示すイベント信号を送信させ、消灯操作を検出した場合は無線送信部８８に消灯を示すイベント信号を送信させる。
【０１２６】
図７は図１の非常時照明システムに設けた住警器の実施形態を示したブロック図である。これは一例であり、各機能の分離、統合は任意に行うことができる、また機能の実行は、ソフトウェア（プログラム）によって実行されるものであってもハードウェアによって実行されるものであっても良い。
【０１２７】
図７において、住警器１００はワンチップＣＰＵとして知られたプロセッサ１２８を備え、プロセッサ１２８に対してはアンテナ１３１を備えた無線通信部１３０、記録回路部（メモリ）１３２、センサ部１３４、報知部１３６、操作部１３８及び電池電源１４０を設けている。
【０１２８】
無線通信部１３０には図４の照明装置１０の無線通信部３０に設けた送信回路４２、受信回路４４と同様の送信回路１４２及び受信回路１４４が設けられ、他の住警器又は照明装置１０との間でイベント信号を無線により送受信できるようにしている。
【０１２９】
無線通信部１３０及びメモリ１３２の記憶情報は、図４の照明装置１０のメモリ３２の各記憶情報と同様である。ここで送信元符号５０としては、住警器１００のシリアル番号等を利用する。
【０１３０】
センサ部１３４には、煙を検出して信号を出力する検煙部１１６を設けている。前述のように、センサ部１３４には検煙部１１６に代えて、温度や温度上昇を検出する素子や、火災に伴うその他の物理現象変化を検出する各種素子を設けても良い。
【０１３１】
報知部１３６には警報音等を出力するスピーカ１５６と警報表示等を行うＬＥＤ１２２が設けられている。スピーカ１５６は、図示しない音声合成回路部から、自己が保持している各種の音声メッセージや警報音等を、図示しない増幅部を介して出力する。ＬＥＤ１２２は点滅や明滅、点灯などにより、火災などの異常その他を表示する。スピーカ１５６に代えて、ブザー等を用いても良い。またＬＥＤ１２２に代え、２色ＬＥＤや液晶表示器等を設けても良い。もちろん、ＬＥＤと液晶表示器を併設するなどしても良い。
【０１３２】
操作部１３８には警報停止スイッチ１２０が設けられている。警報停止スイッチ１２０は、報知部１３６のスピーカ１５６から火災や障害の警報音を出力しているとき又はＬＥＤ１２２により警報表示を行っているときにのみ警報停止スイッチとして機能する。例えば連動元を示す警報中に警報停止スイッチ１２０を操作すると、警報音及び警報表示は停止され、一方、連動先を示す警報中に警報停止スイッチ１２０を操作すると、警報音を停止し、警報表示は停止または所定時間後に停止するといった警報停止処理が行われる。
【０１３３】
一方、連動元または連動先を示す警報を行っていない通常状態においては、警報停止スイッチ１２０は点検スイッチとして機能し、この状態で警報停止スイッチ１２０を操作すると、所定の機能点検動作が実行されて報知部１３６のスピーカ１５６から点検結果を示す音声メッセージなどが出力される。
【０１３４】
なお、障害警報中に警報停止スイッチ１２０が操作された場合には、所定の自己点検動作を実施して結果を報知した後に障害警報停止処理を行うようにしても良い。このようにすれば、例えばセンサ故障等を再チェックした後に障害警報停止処理が行われるので、ユーザに対し、故障状態をより明確に認知させることができる。そして、このとき障害状態が解消している場合には、例えば「障害は解消しました」等のメッセージを出力して、障害停止処理に移行しても良い。なお、警報停止や点検についても連動させることができるが、ここでは説明を省略する。
【０１３５】
電池電源１４０は、例えば所定セル数のリチウム電池やアルカリ乾電池を使用しており、電池容量としては住警器１００における無線通信部１３０を含む回路部全体の低消費電力化により、例えば１０年の電池寿命を保証している。
【０１３６】
プロセッサ１２８にはプログラムの実行により実現される機能として、イベント検出部１５８、送信処理部１６０、受信処理部１６２、警報処理部１６４の機能が設けられている。
【０１３７】
イベント検出部１５８は、センサ部１３４による異常（ここでは火災）検出、操作部１３８による警報停止指示入力や点検指示入力、センサ部１３４の異常検出がなくなる異常復旧等のイベントを検出する。またイベント検出部１５８は受信処理部１６２を介して他の住警器１００や照明装置１０から受信したイベント信号の解読結果として得られたイベント内容を検出する。
【０１３８】
送信処理部１６０は、イベント検出部１５８によりセンサ部１３４による異常検出、操作部１３８による各指示入力、センサ部１３４の異常検出がなくなる異常復旧等の自己のイベントを検出した時に、検出イベント内容を示すイベント信号を、無線通信部１３０の送信回路１４２を介してアンテナ１３１から連動先となる他の住警器１００や照明装置１０に送信させる。受信処理部１６２は、他の住警器１００や照明装置１０からのイベント信号を、無線通信部１３０の受信回路１４４を介して受信解読する。
【０１３９】
警報処理部１６４は、イベント検出部１５８で自己の異常として火災を検出した場合に報知部１３６のスピーカ１５６から連動元を示す警報音を出力すると共に、ＬＥＤ１２２を駆動して連動元を示す警報表示を行い、更に、火災イベント信号を他の住警器１００および照明装置１０に送信する。
【０１４０】
具体的に説明すると、警報処理部１６４は、センサ部１３４に設けた検煙部１１６の煙検出信号に基づきイベント検出部１５８で火災を検出したときに、報知部１３６のスピーカ１５６から連動元を示す警報音例えば「ウーウー  火事です  火事です」を繰り返し出力させると共に、ＬＥＤ１２２を例えば点灯して連動元を示す警報表示を行い、更に、送信処理部１６０および送信回路１４２を介して無線通信部１３０の送信回路１４２によりアンテナ１３１から火災イベント信号を他の住警器１００や照明装置１０に向けて送信させる。
【０１４１】
また警報処理部１６４は、無線通信部１３０の受信回路１４４により他の住警器１００や照明装置１０の何れかから火災信号を受信し、受信処理部１６２で有効となったときに、報知部１３６のスピーカ１５６から連動先を示す警報音例えば「ウーウー  別の火災警報器が作動しました  確認してください」となる警報音を繰り返し出力させ、同時にＬＥＤ１２２を例えば点滅して連動先を示す警報表示を行う。
【０１４２】
ここで、イベント検出部１５８はセンサ障害と電池電圧低下障害を検出する。センサ障害の検出は、所定の測定時間間隔Ｔ１、例えばＴ１＝１秒間隔でセンサ部１３４の検煙部１１６から出力される煙検出信号をＡ／Ｄ変換により読み込んでメモリ１３２のバッファ領域に保持し、例えば所定の時間間隔Ｔ２＝１０分毎に、メモリ１３２のバッファ領域に保持している１０分間ぶんの検出データの平均値を求め、この平均値が所定の基準レベル（零点レベルという）を下回った時に検出信号出力停止状態である等としてセンサ部１３４の障害と判定する。
【０１４３】
このように煙濃度検出信号の１０分間平均値が零点レベルを下回る原因は、検煙部１１６に設けている受光素子故障や受光素子からの配線断線、受光アンプ停止などの障害が発生したことによるものである可能性が高いため、障害（センサ障害と総称する）とする。なお、センサ部１１６にサーミスタなどの温度検出素子を設けた場合にも、各種の処理により、同様にセンサ障害を検出することができる。その他、スピーカ１５６への出力線の断線や他の回路故障や通信異状等を同様に障害監視することができる。このような障害についても、検出後はセンサ障害と同様の処理を行う。
【０１４４】
電池電圧低下障害の検出は、所定の測定時間間隔Ｔ３、例えばＴ３＝４時間間隔で電池電源１４０の電源電圧を図示しない電圧検出回路を介してＡ／Ｄ変換により読み込んで所定の閾値電圧と比較し、この閾値電圧以下の時に電池電圧低下障害と判定し、更に電池電圧低下障害との判定が連続して所定回数続いたときに電池電圧低下障害を確定する。
【０１４５】
警報処理部１６４は、イベント検出部１５８でセンサ障害又は電池電圧低下障害を検出した時に、報知部１３６のスピーカ１５６からの警報音および／またはＬＥＤ１２２の表示により連動元を示すセンサ障害又は電池電圧低下障害警報を出力させる。また警報処理部１６４は、センサ障害又は電池電圧低下障害イベント信号を他の住警器１００や照明装置１０に送信して連動先を示すセンサ障害又は電池電圧低下障害警報を警報音および／または表示で行わせる。なお、障害については照明装置１０との相互連動を行わないようにしても良い。
【０１４６】
更に警報処理部１６４は、受信回路１４４および受信処理部１６２を介して他の住警器１００または照明装置１０の何れかからセンサ障害又は電池電圧低下障害イベント信号を受信した場合に、報知部１３６のスピーカ１５６からの警報音と、ＬＥＤ１２２の表示とにより連動先を示すセンサ障害又は電池電圧低下障害警報を出力させる。
【０１４７】
警報処理部１６４は、イベント検出部１５８でセンサ障害を検出した場合、報知部１３６のスピーカ１５６から連動元（障害元）を示すセンサ障害の警報音として例えば「ピッ  故障です」を複数回連続出力すると共にＬＥＤ１２２を例えば点滅し、その後は一定時間毎に「ピッ  故障です」の音声出力とＬＥＤ１２２による表示出力を行う処理を繰り返す。
【０１４８】
また警報処理部１６４は、送信処理部１６０および送信回路１４２を介してセンサ障害を示すイベント信号（センサ障害イベント信号）を他の住警器１００および照明装置１０に送信することで、連動先を示すセンサ障害警報を出力させる。このとき、警報音として例えば「ピッ  別の警報器が故障です」や「ピッ  警報器が故障です」を出力さると共に連動元とは異なる点滅表示を行わせる。
【０１４９】
また警報処理部１６４は、イベント検出部１５８で電池電圧低下障害を検出した場合、報知部１３６のスピーカ１５６から連動元（障害元）を示す電池電圧低下障害の警報音としてたとえば「ピッ  電池切れです」を複数回連続出力すると共にＬＥＤ１２２を例えば点滅し、その後は、一定時間毎に「ピッ  電池切れです」の音声出力とＬＥ１Ｄ２２による表示出力を行う処理を繰り返す。
【０１５０】
また警報処理部１６４は、電池電圧低下障害を示すイベント信号（電池電圧低下障害イベント信号）を他の住警器１００や照明装置１０に送信することで、連動先を示す電池電圧低下障害警報、例えば警報音として「ピッ  別の警報器が電池切れです」や「ピッ  警報器が電池切れです」を出力させると共に連動元とは異なる点滅表示を行わせる。
【０１５１】
また警報処理部１６４は連動元を示す火災警報または連動先を示す火災警報音の出力中にイベント検出部１５８で自己の警報停止スイッチ１２０の操作を検出した場合、又は他の住警器１００の何れかからの警報停止イベント信号受信を検出した場合、スピーカ１５６からの音声メッセージとＬＥＤ１２２の警報表示による火災警報の出力を停止する。このとき、ＬＥＤ１２２による警報表示については、音声メッセージ出力停止後所定時間継続した後に停止しても良い。なお、連動元を示す火災警報中には、警報停止を示すイベント信号（警報停止イベント信号）受信があっても、少なくとも警報音の出力は継続させるようにしても良い。
【０１５２】
更に警報処理部１６４は、連動元を示すセンサ障害又は電池電圧低下障害警報の出力中にイベント検出部１５８で自己の操作部１３８に設けた警報停止スイッチ１２０の警報停止操作を検出した場合、自己の連動元を示す警報音を停止すると共に障害表示を所定時間継続させた後に停止し、更に連動先を示す障害警報出力中の他の住警器１００や照明装置１０に警報停止イベント信号を送信して、障害警報音と障害表示を停止させる。
【０１５３】
図８は本実施形態で連動に使用するイベント信号のフォーマットを示した説明図である。図８において、イベント信号４６は連番４８、送信元符号５０、グループ符号５２及びイベント符号５４で構成されている。
【０１５４】
連番４８はイベント信号の順番を示す連続番号であり、イベント信号を送信する毎に１つずつ増加させる。また、連番４８は各照明装置１０及び住警器１００で非同期に生成している。連番４８は照明装置１０及び住警器１００間の、主に無線通信に於いてイベント信号の処理順等を管理するためのものであるが、本発明に直接関係しないので詳細な説明を省略する。
【０１５５】
送信元符号５０は例えば２６ビットの符号であり、照明装置１０及び住警器１００のシリアル番号等を利用している。グループ符号５２は例えば８ビットの符号であり、同一グループを構成する例えば図１の各照明装置１０と住警器１００につき同じグループ符号が設定されている。
【０１５６】
なおグループ符号５２としては、同一グループの照明装置１０と住警器１００に同一のグループ符号を設定する以外に、例えば予め定めたグループを構成する照明装置１０と住警器１００に共通な基準符号と各住警器に固有な送信元符号との演算から求めた、住警器ごとに異なるグループ符号であっても良い。
【０１５７】
イベント符号５４は、火災、ガス漏れ（例えばガス漏れ警報器やガス漏れ検出機能を併せ持つ住警器等の場合）などのイベント内容を表す符号であり、本実施形態にあっては４ビット符号を使用しており、例えば
０００１＝火災
００１０＝ガス漏れ
００１１＝警報停止
０１００＝復旧
０１０１＝センサ障害
０１１０＝電池電圧低下障害
０１１１＝点灯
１０００＝消灯
としている。ここで、００００はイベント検出を伴わない、例えば定期通報に使用する。
【０１５８】
なおイベント符号５４のビット数は５ビット、６ビットと増加させることで、更に多くのイベント内容を表すことができる。例えば、復旧のイベント符号は火災復旧と障害復旧に分けても良い。
【０１５９】
また、火災以外の異常を検出する警報器では、上記の０００１を検出対象となる異常イベントに置き換えても良いし、検出対象となる異常イベントの種類を、例えば上記に追加しても良い。このようにして、例えば同じグループ内に、検出対象とする異常種別の異なる警報器を混在させることもできる。
【０１６０】
図９及び図１０は図４の照明装置１０における照明制御の例を示したフローチャートである。図９において、照明装置１０の電池電源４０による電源供給が開始されると、ステップＳ１で初期化、自己診断を実行し、異常がなければステップＳ２に進み、住警器１００から送信若しくは中継送信された、または他の照明装置１０で中継送信された火災イベント信号受信の有無を判別している。
【０１６１】
ステップＳ２で火災イベント信号受信を判別するとステップＳ３に進み、ＬＥＤ照明部１６のＬＥＤ１８を点灯すると共に、報知部３６のスピーカ５６から音声メッセージやブザー音等の警報音とＬＥＤ２２の点滅による警報表示とにより火災警報を出力する。
【０１６２】
続いて、ステップＳ４で火災状態が解消した場合に住警器１００から送信される、またはこれが他の（連動先の）住警器１００や他の照明装置１０で中継送信される火災復旧イベント信号受信の有無を判別しており、火災復旧イベント信合受信を判別するとステップＳ５でＬＥＤ照明部１６のＬＥＤ１８を消灯すると共に、報知部３６のスピーカ５６からの音声メッセージやブザー音等の警報音とＬＥＤ２２の点滅による警報表示を停止する。
【０１６３】
続いてステップＳ６で火災を検出している連動元の住警器１００の警報停止スイッチ１２０の操作に基づいて送信された（またはこれが中継送信された）警報停止イベント信号受信の有無を判別し、警報停止イベント信号受信を判別すると、ステップＳ７でＬＥＤ照明部１６のＬＥＤ１８を消灯すると共に、報知部３６のスピーカ５６からの警報音とＬＥＤ２２の警報表示を停止する。
【０１６４】
なお、禁止モードが設定されている場合にはステップＳ３、Ｓ５、Ｓ７の処理をスキップする（図示省略）。
【０１６５】
続いてステップＳ８で他の照明装置１０から送信または中継送信された点灯イベント信号受信の有無を判別し、点灯イベント信号受信を判別するとステップＳ９でＬＥＤ照明部１６のＬＥＤ１８を点灯する。
【０１６６】
このとき、併せてＬＥＤ２２を作動させても良いが、ステップＳ３での作動とは異なる条件とするのが好ましい。例えば、ステップＳ２の点滅とは周期の異なる点滅としたり、点灯とする。また、ＬＥＤ２２が２色ＬＥＤである場合にはステップＳ２の場合と異なる表示色で作動させても良い。
【０１６７】
このようにしてＬＥＤ２２の表示の面からも、火災発生に基づく照明作動とリモコン操作に基づいて他の照明装置１０で中継送信された点灯イベント信号に基づく照明動作とが識別出来るようにする。もちろん、ＬＥＤ１８による照明についても、ステップＳ２とステップＳ８で異なる作動条件としても良い。
【０１６８】
続いてステップＳ１０で他の照明装置１０から送信または中継送信された消灯イベント信号受信の有無を判別し、消灯イベント信号受信を判別するとステップＳ１１でＬＥＤ照明部１６のＬＥＤ１８を消灯する。ステップＳ９でＬＥＤ２２も作動させている場合には、これも消灯する。
【０１６９】
ステップＳ９、Ｓ１０では、他の照明装置１０から受信した点灯または消灯イベント信号受信に基づく処理であり、即ちリモコン１１からの点灯または消灯イベント信号が他の照明装置１０で中継送信されたものを受信した結果行う処理である。このためステップＳ９、Ｓ１０では更に他の照明装置への点灯または消灯イベント信号の中継送信（再中継）は行わない例としている。
【０１７０】
続いてステップＳ１２でリモコン１１から送信された点灯イベント信号受信の有無を判別し、点灯イベント信号受信を判別するとステップＳ１３でＬＥＤ照明部１６のＬＥＤ１８を点灯する。このとき、ＬＥＤ１８、ＬＥＤ２２の作動制御はステップＳ９と同様に種々行うことができる。続いてステップＳ１４で点灯イベント信号を送信する。
【０１７１】
続いてステップＳ１５でリモコン１１から送信された消灯イベント信号受信の有無を判別し、消灯イベント信号受信を判別するとステップＳ１６でＬＥＤ照明部１６のＬＥＤ１８を消灯する。ステップＳ１３でＬＥＤ２２も作動させている場合には、これも消灯する。続いてステップＳ１７で消灯イベント信号を送信する。
【０１７２】
なお、ステップＳ３、Ｓ９、Ｓ１３でＬＥＤ照明部１６のＬＥＤ１８を点灯している場合、多機能スイッチ２０の長押操作を検出するとＬＥＤ照明部１６のＬＥＤ１８を消灯するが、この処理は省略している。
【０１７３】
続いて図１０のステップＳ１８に進み、多機能スイッチ２０の短押操作検出の有無を判別している。ステップＳ１８で多機能スイッチ２０の短押操作検出有りを判別するとステップＳ１９に進み、ＬＥＤ照明部１６のＬＥＤ１８を点灯する。続いてステップＳ２０で所定時間Ｔ１１、例えばＴ１１＝２分３０秒経過したか否か判別しており、Ｔ１１未満の場合はステップＳ２１で多機能スイッチ２０の長押操作検出の有無を判別し、長押操作検出無しを判別した場合は、ステップＳ２２でメモリ３２に電池電圧低下フラグがセットされているか否か判定し、電池電圧低下フラグセットを判別するとステップＳ２３に進み、電池電圧低下を示す音声メッセージを出力する。
【０１７４】
なお、ステップＳ２１で多機能スイッチ２０の長押操作検出有りを判別するとステップＳ２８に進んでＬＥＤ照明部１６のＬＥＤ１８を消灯する。
【０１７５】
ステップＳ２０で所定時間Ｔ１１経過を判別するとステップＳ２４に進み、消灯予告の音声メッセージを報知部３６のスピーカ５６から出力させる。続いてステップＳ２５で所定時間Ｔ１２、例えばＴ１２＝３０秒経過したか否か判別しており、Ｔ１２未満の場合はステップＳ２６で多機能スイッチ２０の長押操作検出の有無を判別し、長押操作検出無しを判別した場合はステップＳ２７で多機能スイッチ２０の短押操作検出の有無を判定する。
【０１７６】
ステップＳ２７で多機能スイッチ２０の短押操作検出有りを判定した場合はステップＳ２０に進み、再度、所定時間Ｔ１１を経過したか否かの判定に入る。なお、ステップＳ２６で多機能スイッチ２０の長押操作検出有りを判別するとステップＳ２８に進んでＬＥＤ照明部１６のＬＥＤ１８を消灯する。
【０１７７】
ステップＳ２５で所定時間Ｔ１２の経過を判別するとステップＳ２８に進み、ＬＥＤ照明部１６のＬＥＤ１８を消灯する。続いてステップＳ２９で多機能スイッチ２０の長押操作検出の有無を判別しており、長押操作検出有りを判別するとステップＳ３０に進み所定の内部点検を実行する。
【０１７８】
続いてステップ３１で点検結果は正常か否か判別し、正常判別の場合はステップＳ３２に進み、正常を示す音声メッセージを報知部３６のスピーカ５６から出力させる。ステップＳ３１で障害判別の場合は、ステップＳ３３で障害を示す音声メッセージを報知部３６のスピーカ５６から出力させる。
【０１７９】
なお、ステップＳ２２やステップＳ３１で電池電圧低下や障害検出が判定された場合にはスピーカ５６からの警報音およびＬＥＤ２２の表示で警報すると共に障害イベント信号を送信し、また障害復旧が検出された場合には当該障害警報を停止すると共に障害復旧イベント信号を送信するようにする。一方、障害イベント信号や障害復旧イベント信号受信に係る処理は、ステップＳ２〜ステップＳ５の、火災や火災復旧イベント信号受信に係る処理と同様になる。ただし、スピーカ５６の出力機能に関する障害発生の場合には、警報音は出力されない。
【０１８０】
図１１及び図１２は図７の住警器１００における監視処理の例を示したフローチャートである。図１１において、住警器１００の電池電源１４０による電源供給が開始されると、ステップＳ４１で初期化、自己診断を実行し、異常がなければステップＳ４２に進み、火災を監視している。センサ部１３４の検煙部１１６から出力された煙検出信号が所定の火災レベルを超えるとステップＳ４２で火災を判別してステップＳ４３に進み、連番、送信元符号、グループ符号、火災を示すイベント符号を含む火災イベント信号を無線送信した後、ステップＳ４４で報知部１３６のスピーカ１５６からの音声メッセージやブザー音等による警報音とＬＥＤ１２２の点灯による警報表示とにより連動元を示す火災警報を出力する。
【０１８１】
続いて、ステップＳ４５でセンサ部１３４の検煙部１１６からの煙検出信号レベルが低下して火災状態が解消する火災復旧の有無を判別しており、火災復旧有りを判別するとステップＳ４６で連番、送信元符号、グループ符号、火災復旧を示すイベント符号を含む火災復旧イベント信号を他の住警器１００や照明装置１０に送信した後、ステップＳ４７でスピーカ１５６からの警報音とＬＥＤ１２２の点灯による警報表示とによる連動元を示す火災警報を停止する。なお、ＬＥＤ１２２による警報表示は警報音の停止から所定時間経過後に消灯しても良い。
【０１８２】
続いてステップＳ４８で自己の警報停止スイッチ１２０の操作有無を判別し、スイッチ操作が判別されるとステップＳ４９で警報中か否かを判別する。ステップＳ４９で警報中が判別されると、ステップＳ５０に進んで連番、送信元符号、グループ符号、警報停止を示すイベント符号を含む警報停止イベント信号を他の住警器１００や照明装置１０に送信し、更にステップＳ５１に進んでスピーカ１５６からの連動元を示す警報音出力を停止し、ＬＥＤ１２２の点灯による警報表示を消灯する。なお、このときもＬＥＤ１２２は警報音の停止から所定時間経過後に消灯しても良い。
【０１８３】
ステップＳ４９で警報中でないと判別した場合には、所定の点検動作を実施して結果を報知するようにしているが、図示を省略している。
【０１８４】
続いて図１２のステップＳ５２に進み、他の住警器１００から送信された、または照明装置１０から中継送信された火災イベント信号受信の有無を判別している。火災イベント信号受信を判別すると、ステップＳ５３に進んで連動先を示す火災警報としてスピーカ１５６から警報音を出力し、ＬＥＤ１２２の点滅による警報表示を行う。
【０１８５】
次にステップＳ５４で他の住警器１００から送信された、または照明装置１０から中継送信された火災復旧イベント信号受信の有無を判別しており、火災復旧イベント信号を受信すると、ステップＳ５５に進んで連動先の警報として行っているスピーカ１５６からの警報音出力とＬＥＤ１２２の点滅による警報表示を停止する。
【０１８６】
次にステップＳ５６で他の住警器１００から送信された、または照明装置１０から中継送信された警報停止イベント信号受信の有無をチェックしており、警報停止イベント信号の受信を判別すると、ステップＳ５７に進んで警報中か否かを判別し、警報中を判別するとステップＳ５８に進んで連動先としての警報音出力を停止し、警報表示も停止させる。
【０１８７】
図１３は本発明による照明装置の他の実施形態を示したブロック図である。図１３において、本実施形態の照明装置１０はワンチップＣＰＵとして知られたプロセッサ２８を備え、プロセッサ２８に対してはアンテナ３１を備えた無線通信部３０、記録回路部（メモリ）３２、ＬＥＤ照明部１６、多機能スイッチ２０を備えた操作部３８及び電池電源４０を設けているが、図４の実施形態で設けている報知部３６は除いた構成としている。
【０１８８】
プロセッサ２８にはイベント検出部５８、送信処理部６０、受信処理部６２及び照明制御部６４が設けられ、それぞれ図４の実施形態と基本的に同じであるが、報知部３６を設けていないことに対応し、照明制御部６４は火災イベント信号受信または点灯イベント信号受信を検出しても警報動作（報知部での報知動作）は行わないようにしている点で相違する。なお、ＬＥＤ照明部１６にはＬＥＤ１８を備えている。
【０１８９】
図１３の照明装置１０は図１の住宅２５に示すと同様に設置され、火災を示すイベント信号を受信した場合、または点灯イベント信号を受信した場合、ＬＥＤ照明部１６のＬＥＤ１８を点灯する。また点灯イベント信号を受信した場合には、必要に応じて点灯イベント信号を中継送信する。
【０１９０】
多機能スイッチ２０の押分操作と機能は図５の「警報と連動点灯」の状態が「連動点灯」となる点で相違するが、それ以外は同じになる。
【０１９１】
この結果、図１３の照明装置１０にあっても、通常状態で多機能スイッチ２０の短押操作を検出すると所定時間Ｔ１のあいだＬＥＤ照明部１６のＬＥＤ１８を点灯して自動消灯するが、消灯前の消灯予告は行われない。勿論、点灯中に多機能スイッチ２０を短押操作すれば、自動消灯せずに更に所定時間Ｔ１のあいだ点灯を継続する。
【０１９２】
更に、音声メッセージを出力する報知部が設けられていないため、電池電圧低下検出部や点検制御部の機能も除かれている。
【０１９３】
本発明による非常時照明システムの他の実施形態として、図４の実施形態の照明装置１０と図１３に示した照明装置１０とを適宜混在させたシステムを構築することができる。
【０１９４】
またリモコン１１による照明装置１０の点灯指示方法としては、例えばリモコン１１に照明装置１０の番号指定などによる選択機能を設け、リモコン１１で必要な照明装置１０を選択して点灯させるようにもできる。
【０１９５】
なお、上記の実施形態は照明装置と連動する警報器として、火災を検出して警報する住警器を例にとるものであったが、ガス漏れ警報器、ＣＯ警報器、各種の防犯用警報器を配置した非常時照明システムやそれら各種の警報器を混在させて配置した非常時照明システムについても同様に適用できる。
【０１９６】
また、上記の実施形態にあっては、多機能スイッチ２０の第１の操作を短押操作とし、第２の操作を長押操作としているが、逆に、多機能スイッチ２０の第１の操作を長押操作とし、第２の操作を短押操作としても良い。
【０１９７】
また、本発明の非常時照明システムは、警報器および照明装置がそれぞれ１台であることを妨げない。
【０１９８】
また、照明装置と警報器間の連携は無線通信によるものでなくても良く、有線通信によっても、また有線と無線を適宜混在させるものであっても良い。
【０１９９】
また、本発明の非常用照明システムの警報器として、例えば特許文献５として示したような照明機能つきの各種住警器、警報器を適用することもできる。
【０２００】
また、上記の実施形態に示した照明装置１０のＬＥＤ１８は複数である必要は無く、１つであっても良い。
【０２０１】
また、リモコン１１と照明装置１０との間の通信は、無線を使用したイベント信号によるものでなく、例えば赤外線で所定のオン・オフ符号を送信（受信）するものであっても良い。
【０２０２】
また上記の実施形態におけるフローチャートは処理の概略例を説明したもので、処理の順番等はこれに限定されない。また各処理や処理と処理の間に必要に応じて遅延時間を設けたり、他の判定を挿入する等ができる。
【０２０３】
また、上記実施の形態で示した各機器のプロセッサは、その機能の一部又は全部を、例えばワイヤードロジック等による他の手段に代えることができる。プロセッサを含め他の電気的、機能的構成は適宜に統廃合することもできる。
【０２０４】
また上記の実施形態で述べた「受信がある」、「受信が無い」、「受信した場合」、「受信を判別」等は、受信した信号が有効なものとして認識されたか否かの判定も含んでいる。
【０２０５】
また、警報器の規格等によっては、上記実施形態のＬＥＤによる表示が「警報」と認められない場合があるが、本発明では規格上「警報」に含まれるか否かに関わらず、警報表示、警報に伴う表示、または単に表示として記載している。本発明の目的を達成できるものであれば、どのような表示手段を用いても構わない。そして、表示部は警報器と別体に設けられていても良い。
【０２０６】
また、上記の実施形態では、電池電源によって動作する照明装置と住警器を例に取ったが、電池電源以外の電源で動作するものにも本発明を適用できる。この場合、電池電圧低下検出機能は不要となる。
【０２０７】
また、上記の実施形態は住宅用に限らずビルやオフィス用など各種用途の警報器にも適用できる。
【０２０８】
また、上記の実施形態は消費電力の少ないＬＥＤ照明部を例にとるものであったが、ＬＥＤ以外の照明素子を用いた照明部であっても良い。
【０２０９】
また、上記の実施形態は照明装置に照明部を一体に設けた場合を例にとるが、他の実施形態として、照明部と照明制御部を別体とした照明装置であっても良い。
【０２１０】
また、上記の実施形態は警報器にセンサ部と警報出力処理部を一体に設けた場合を例にとるが、他の実施形態として、センサ部と警報出力処理部を別体とした警報器であっても良い。
【０２１１】
また本発明は上記の実施形態に限定されず、その目的と利点を損なうことのない適宜の変形を含み、更に上記の実施形態に示した数値による限定は受けない。
【符号の説明】
【０２１２】
１０：照明装置
１１：リモコン
１２，１１２：カバー
１４，１１４：本体
１５，１１５：取付フック
１６：ＬＥＤ照明部
１８，２２，１２２：ＬＥＤ
１９，１１８：音響孔
２０：多機能スイッチ
２４：住宅
２８，７０，１２８：プロセッサ
３０，７２，１３０：無線通信部
３１，８１，１３１：アンテナ
３２，８２，１３２：記録回路部（メモリ）
３６，１３６：報知部
３８，７６，１３８：操作部
４０，７８，１４０：電池電源
４２，８０，１４２：送信回路
４４，１４４：受信回路
４６：イベント信号
４８：連番
５０：送信元符号
５２：グループ符号
５４：イベント符号
５６，１５６：スピーカ
５８，８８，１５８：イベント検出部
６０，９０，１６０：送信処理部
６２，１６２：受信処理部
６４：照明制御部
６６：電池電圧低下検出部
６８：点検制御部
７４：表示部
８４：点灯スイッチ
８６：消灯スイッチ
９２：リモコン制御部
１００：住警器（住宅用火災警報器）
１１６：検煙部
１２０：警報停止スイッチ
１３４：センサ部
１６４：警報処理部
【図１】
0005944971.tif 000002
【図２】
0005944971.tif 000003
【図３】
0005944971.tif 000004
【図４】
0005944971.tif 000005
【図５】
0005944971.tif 000006
【図６】
0005944971.tif 000007
【図７】
0005944971.tif 000008
【図８】
0005944971.tif 000009
【図９】
0005944971.tif 000010
【図１０】
0005944971.tif 000011
【図１１】
0005944971.tif 000012
【図１２】
0005944971.tif 000013
【図１３】
0005944971.tif 000014